(57)【要約】【課題】  シーツ全体を薄く構成し、尿の逆戻りも防止した構成であって、積層構造も簡単なペットシーツを提供する。【解決手段】  裏面シートと、複数の液透過孔を有する表面シートと、裏面シートと表面シートとの間に配置されて液を吸収保持する吸収シートと、からなるペット用吸収シートであって、液透過孔は、その周壁が、表面シートの裏面から吸収シートに向けて漸次開口径を狭くなるように突出してなり、吸収シートは、その表面に裏面シートに向けて凹部を有することを特徴とする。【選択図】図３
2016002033.tif 000002
【特許請求の範囲】
【請求項１】
裏面シートと、複数の液透過孔を有する表面シートと、前記裏面シートと前記表面シートとの間に配置されて液を吸収保持する吸収シートと、からなるペット用吸収シートであって、
前記液透過孔は、その周壁が、前記表面シートの裏面から前記吸収シートに向けて漸次開口径を狭くなるように突出してなり、
前記吸収シートは、その表面に前記裏面シートに向けて凹部を有することを特徴とするペット用吸収シート。
【請求項２】
前記吸収シートの厚みは、前記表面シートの１〜１．５倍であることを特徴とする請求項１に記載のペット用吸収シート。
【請求項３】
前記表面シートの厚みは、０．４〜０．５mmであり、前記吸収シートの厚みは、０．４〜０．７５mmであることを特徴する請求項１または２に記載のペット用吸収シート。
【発明の詳細な説明】
【技術分野】
【０００１】
本発明は、犬や猫などのペットが排泄した尿などを吸収するためのペットシーツに関する。
【背景技術】
【０００２】
従来から、犬や猫など家庭内で飼育しているペットが排泄した尿などを吸収するためにペットシーツが使用されている。このペットシーツとして、以下の特許文献１に記載のものが提案されている。
【先行技術文献】
【特許文献】
【０００３】
【特許文献１】特許４２２７０３２号公報
【０００４】
特許文献１に記載のペットシーツは、裏面シートと、液透過孔を有する表面シートと、両シートの間に尿を吸収保持する吸収体とを備え、吸収体はパルプと第一の高吸収性材料で構成され、更に表面シートと吸収体の間に第二の高吸収性材料が配置されている。
【０００５】
これにより、ペットの足の圧力でパルプの間に保持された尿が滲み出ようとしたときに、第一の高吸収性材料及び第二の高吸収性材料によって吸収されるため、表面シートの液透過孔から表面シートの表面に向けて尿が戻りにくくなる。
【発明の概要】
【発明が解決しようとする課題】
【０００６】
しかしながら、特許文献１の形態では、裏面シートと表面シートの間に、パルプと第一の高吸収性材料で構成された吸収体を備え、更に表面シートと吸収体の間に第二の高吸収性材料を配置するためシーツ全体に厚みが生じ、積層構造も複雑であった。
【０００７】
本発明は、このような点に鑑みなされたもので、シーツ全体を薄く構成し、尿の逆戻りも防止した構成であって、積層構造も簡単なペットシーツを提供することを目的とする。
【課題を解決するための手段】
【０００８】
本発明の請求項１の発明にあっては、裏面シートと、複数の液透過孔を有する表面シートと、裏面シートと表面シートとの間に配置されて液を吸収保持する吸収シートと、からなるペット用吸収シートであって、液透過孔は、その周壁が、表面シートの裏面から吸収シートに向けて漸次開口径を狭くなるように突出してなり、吸収シートは、その表面に裏面シートに向けて凹部を有することを特徴とする。
【０００９】
また、請求項２の発明にあっては、請求項１の発明において、吸収シートの厚みは、表面シートの１〜１．５倍であることを特徴とする。
【００１０】
また、請求項３の発明にあっては、請求項１または２の発明において、表面シートの厚みは、０．４〜０．５mmであり、吸収シートの厚みは、０．４〜０．７５mmであることを特徴する。
【発明の効果】
【００１１】
上述した本発明によれば、漸次開口径が狭くなるように設定された液透過孔により、尿の逆戻りを防止でき、表面シート裏面に設けられた空隙と、吸収シート上に設けられた凹部によって、表面シートと吸収シート間で尿が拡散し、シーツの広範囲で尿を吸収することによって、吸収体を薄く構成することができ、全体として厚みの薄いシーツを得られる。
【図面の簡単な説明】
【００１２】
【図１】本発明の実施形態を示すシーツの斜視図である。
【図２】本発明の実施形態を示すシーツの分解図である。
【図３】本発明の実施形態を示すシーツのＡ−Ａ線断面図である。
【発明を実施するための最良の形態】
【００１３】
以下、本発明の実施形態につき、添付図面を参考にして説明する。
【００１４】
図１に示すように、１は、犬や猫等のペットが排泄した尿等を吸収するためのペットシーツである。
【００１５】
図２に示すように、ペットシーツ１は、複数の液透過孔２１を有する表面シート２と、液不透過性の裏面シート３と、表面シート２と裏面シート３との間に配置される液吸収シート４が積層されて構成される。
【００１６】
表面シート２は、ポリエチレン（ＰＥ）や、ポリプロピレン（ＰＰ）等の樹脂フィルムや、撥水性或いは、疎水性の不織布で形成される。本実施形態においては、ポリエチレン（ＰＥ）のフィルムが使用される。
【００１７】
表面シート２は、縦寸法Ｌ１が４４０mm、幅寸法Ｗ１が３３０mmであり、矩形状に形成される。また、厚みＨ１は０．４〜０．５mmで設定されるが、本実施形態においては０．４mmで構成される。
【００１８】
表面シート２は、図３に示すように、吸収シート４に向かって漸次開孔径が狭くなるように周壁２２が形成された複数の液透過孔２１を有する。
【００１９】
表面シート２の裏面側には、周壁２２によって空隙２３が形成される。
【００２０】
ペットが排泄した尿は、表面シート２の表面から液透過孔２１を通じて吸収シート４側に向かって移動して吸収される。吸収シート４に吸収された尿が、ペットの足の圧力によって表面シート２側に戻ろうとしても、空隙２３内部に移動する。これにより、表面シート２側の表面に尿が戻ることを防止することができる。
【００２１】
裏面シート３は、ポリエチレン（ＰＥ）や、ポリプロピレン（ＰＰ）等の樹脂フィルムや、撥水性或いは、疎水性の不織布で形成される。本実施形態においては、ポリエチレン（ＰＥ）のフィルムが使用されるが、尿等を透過させないように液不透過性の材質により構成されたシートであればよい。
【００２２】
裏面シート３は、縦寸法Ｌ３が４４０mm、幅寸法Ｗ３が３３０mmであり、表面シート２と同形状の矩形状に形成されるが、表面シート２の縦寸法Ｌ１、幅寸法Ｗ１よりもその縦寸法Ｌ３、幅寸法Ｗ３が大きければ良い。また、厚みＨ３は０．３mmである。
【００２３】
吸収シート４は、本実施形態においては、親水性シート（ティッシュペーパー）４１、４２と、両親水性シート間に配置され、高吸収性樹脂４３ａとパルプ４３ｂとを含む吸収体４３とからなる。
【００２４】
吸収体４３を構成する高吸収性樹脂４３ａは、例えば、ポリアクリル酸系、ポリビニルアルコール系、無水マレイン酸その他の付加重合体、ポリエーテル系、縮合系に代表されるポリマー、でんぷん系、セルロース系その他多糖類系、コラーゲン等の蛋白質をあげることができる。
【００２５】
吸収体４３を構成するパルプ４３ｂは、粉砕パルプ等のパルプのみによって形成されていてもよいが、パルプに高吸収性樹脂を含有させたものであってもよい。
【００２６】
吸収シート４は、その表面に裏面シート３側に向けて格子状に設けられた複数の溝（凹部４４）を有する。
【００２７】
凹部４４は、本実施形態のペットシーツの製造時において、表面シート２と、吸収シート４と、裏面シート３とを積層した状態で熱溶着する際に用いるエンボス加工によるものである。凹部４４は、水平方向にその間隔が１０mmになるように形成される。
【００２８】
表面シート２は、吸収シート４の表面に接するように積層される。表面シート２に設けられた液透過孔２１は開口径が漸次狭くなっていくように形成されているため、尿の戻りを防止しやすい反面、表面シート２の表面からその下層に向けての尿の通過抵抗も大きい。しかし、表面シート３の直下に、吸収シート４が設けられているため、吸収シート４の液吸収力により、表面シート２の表面の尿は、液透過孔２１を通過しやすく構成される。
【００２９】
また、吸収シート４はその表面に凹部４４が設けられているため、表面シート２を通過した尿は、空隙２３と、凹部４４との間を通って、シーツの広範囲に拡散する。また、吸収シート４が凹部４４を有することによって表面積が増え、吸収シート４の内部にもすぐさま尿が吸収される。これにより、吸収シート４の広範囲に渡って手尿を吸収することができるため、従来に比較して吸収シート４を薄くすることができ、ペットシーツ１を薄く構成することができる。
【００３０】
尿がシートの広範囲に拡散するが、空隙２３と凹部４４の間を通って、すなわち表面シート２と吸収シート４との間を通って拡散するため、表面には水滴が残らず、また、表面シートの厚みが吸収シート４の厚みに対して１：１．５となるように、空隙２３の高さが十分に離間されて設定されているため、尿の逆戻りが生じない。
【符号の説明】
【００３１】
１                        ペットシーツ本体
２                        表面シート
２１                      液透過孔
２２                      周壁
２３                      空隙
３                        裏面シート
４                        吸収シート
４１、４２                親水性シート
４３                      吸収体
４３ａ                    高吸収性樹脂
４３ｂ                    パルプ
【図１】
2016002033.tif 000003
【図２】
2016002033.tif 000004
【図３】
2016002033.tif 000005